(57)【要約】【課題】照度センサを用いずに、常夜灯の点灯時に、装置本体の運転状態を示す情報を表示するランプの全光束を下げること。【解決手段】本発明の空気清浄機（１）は、常夜灯ＬＥＤ（２０１）を備え、制御部（９２）は、常夜灯ＬＥＤ（２０１）の点灯を検知すると、当該空気清浄機（１）の運転状態を表示するための情報表示ＬＥＤ（８３）の全光束を照明灯（２０２）の点灯時における情報表示ＬＥＤ（８３）の全光束よりも低くなるように制御する。【選択図】図１
2019083106.tif 000002
【特許請求の範囲】
【請求項１】
照明灯および常夜灯を備えた電子装置であって、
当該電子装置の各種情報を、光源を用いて表示する情報表示部と、
上記情報表示部の光源の全光束を制御する照明制御部と、を備え、
上記照明制御部は、
上記常夜灯の点灯を検知すると、上記光源の全光束を上記照明灯の点灯時における上記光源の全光束よりも低くなるように制御することを特徴とする電子装置。
【請求項２】
上記照明制御部は、
上記常夜灯の点灯を検知すると、上記光源の全光束を当該常夜灯の全光束以下となるように制御することを特徴とする請求項１に記載の電子装置。
【請求項３】
上記情報表示部は、上記光源を複数備え、
上記照明制御部は、
上記常夜灯の点灯を検知すると、上記光源の点灯数を当該常夜灯が点灯する前の上記光源の点灯数よりも少なくすることを特徴とする請求項１または２に記載の電子装置。
【請求項４】
上記光源は、ＬＥＤであることを特徴とする請求項１〜３の何れか１項に記載の電子装置。
【請求項５】
請求項１〜４の何れか１項に記載の電子装置は、イオン発生装置を備えた空気清浄機であって、
当該空気清浄機の本体部から着脱可能に設けられ、当該本体部に装着されたイオン発生装置を覆う蓋体と、
上記蓋体で覆われた本体部に設けられ、当該空気清浄機を応急運転させるための応急運転ボタンと、
上記蓋体の着脱を検出する蓋体着脱検出部と、
上記イオン発生装置の着脱を検出する装置着脱検出部と、
上記蓋体着脱検出部により上記蓋体が外れていると検出され、且つ、上記装置着脱検出部によりイオン発生装置が装着されていると検出されたときのみ、上記応急運転ボタンによる当該空気清浄機の応急運転が行えるように、当該空気清浄機を制御する制御部と、を備えていることを特徴とする空気清浄機。
【請求項６】
上記情報表示部は、
上記空気清浄機を天井に取り付けた状態で、当該空気清浄機の各種情報を上記天井に表示することを特徴とする請求項５に記載の空気清浄機。
【発明の詳細な説明】
【技術分野】
【０００１】
本発明は、常夜灯を備えた電子装置および空気清浄機に関する。
【背景技術】
【０００２】
従来、家屋の天井に取り付ける空気清浄機等の各種電気機器が開発されている。それら、電気機器は、天井に取り付けられ、天井に設けられているシーリングローゼットから給電される。このように、天井に取り付けられる電気機器として、特許文献１には、天井取付型空気清浄機が開示されている。
【０００３】
上記空気清浄機は、下側の案内板の下面に照明灯が取り付けられ、この照明灯を覆うように、下側の案内板にグローブが取り付けられ、グローブの周りにカバー体が設けられている。
【先行技術文献】
【特許文献】
【０００４】
【特許文献１】特開２０００−１６１７２９号公報（２０００年６月１６日公開）
【発明の概要】
【発明が解決しようとする課題】
【０００５】
ところで、空気清浄機では、当該空気清浄機の運転情報（以下、空清運転情報と称する）を表示するのにランプの点灯により行なっている。
【０００６】
しかしながら、上述のような従来の照明灯を備えた天井取付型空気清浄機を寝室で用いて、照明灯の一部を常夜灯として機能させたとき、夜間、常夜灯以外の照明灯が消灯した状態であっても、空清運転情報を表示するランプは点灯したままとなる。一般に常夜灯の明るさは、就寝を妨げない程度の明るさになっている。このため、常夜灯以外に空清運転情報を表示するランプが点灯していれば、当該空清運転情報を表示しているランプの明るさが、常夜灯の明るさよりも明るければ、就寝を妨げる虞がある。
【０００７】
そこで、空気清浄機に照度センサを設けることで、当該照度センサにより部屋の明るさを検出し、部屋の明るさが予め決めた閾値より小さい場合には空清運転情報を表示しているランプの明るさを落とすことが考えられる。
【０００８】
しかしながら、照度センサを別途設ける必要があるため、空気清浄機の価格が上昇するという問題が生じる。
【０００９】
本発明の一態様は、照度センサを用いずに、常夜灯の点灯時に、装置本体の運転状態を示す情報を表示するランプの全光束を照明灯の点灯時における上記光源の全光束よりも低くすることのできる空気清浄機等の電子装置を実現することを目的とする。
【課題を解決するための手段】
【００１０】
上記の課題を解決するために、本発明の一態様に係る電子装置は、照明灯および常夜灯を備えた電子装置であって、当該電子装置の各種情報を、光源を用いて表示する情報表示部と、上記情報表示部の光源の全光束を制御する照明制御部と、を備え、上記照明制御部は、上記常夜灯の点灯を検知すると、上記光源の全光束を上記照明灯の点灯時における上記光源の全光束よりも低くなるように制御することを特徴としている。
【発明の効果】
【００１１】
本発明の一態様によれば、照度センサを用いずに、常夜灯の点灯時に、装置本体の運転状態を示す情報を表示するランプの全光束を明灯灯の点灯時における上記光源の全光束よりも下げることができる。
【図面の簡単な説明】
【００１２】
【図１】本発明の実施形態の空気清浄機を部屋の天井へ取り付けた状態を示す斜視図である。
【図２】（ａ）は、図１に示した状態の空気清浄機の側面図、（ｂ）は、図１に示した状態の空気清浄機の、（ａ）とは異なる位置の側面図である。
【図３】（ａ）は、図２の（ａ）に示した方向から見た場合の本体部の内部の構造を示す縦断面図、（ｂ）は、図２の（ｂ）に示した方向から見た場合の本体部の内部の構造を示す縦断面図である。
【図４】（ａ）は、図３の（ａ）に示した構造を斜め上方から見た場合の斜視図、（ｂ）は、図３の（ｂ）に示した構造を斜め下方から見た場合の斜視図である。
【図５】図１に示す空気清浄機の照明基板を露出した状態を示す平面図である。
【図６】図５に示す照明基板の一例を示す図である。
【図７】（ａ）は、図１に示した空気清浄機の運転状態報知装置による状態表示動作の説明図、（ｂ）は、上記運転状態報知装置の構成を示す説明図である。
【図８】図１に示す空気清浄機の駆動制御部の構成を示すブロック図である。
【図９】図１に示す空気清浄機の情報表示ＬＥＤの全光束制御処理の流れを示すフローチャートである。
【図１０】本発明の他の実施形態の空気清浄機の制御部の構成を示すブロック図である。
【図１１】図１０に示す空気清浄機の情報表示ＬＥＤの全光束制御処理の流れを示すフローチャートである。
【図１２】本発明のさらに他の実施形態の空気清浄機から、ＨＥＰＡフィルタ保持部材とともにＨＥＰＡフィルタを取り外した状態を示す斜視図である。
【図１３】図１２に示す空気清浄機の制御部の構成を示すブロック図である。
【発明を実施するための形態】
【００１３】
〔実施形態１〕
以下、本発明の一実施形態について、詳細に説明する。本実施形態では、本発明の電子装置を空気清浄機に適用した例について説明する。
【００１４】
（空気清浄機１の天井への取り付け構造）
本発明の実施形態を図面に基づいて以下に説明する。図１は、本実施形態の空気清浄機１を部屋の天井へ取り付けた状態を示す斜視図である。図２の（ａ）は、図１に示した状態の空気清浄機１の側面図である。図２の（ｂ）は、図１に示した状態の空気清浄機１の、図２の（ａ）とは異なる位置の側面図である。
【００１５】
図１に示すように、本実施形態の空気清浄機１は、家屋の天井パネル（天井）１１に取り付けられている。空気清浄機１は、図２の（ａ）（ｂ）に示すように、本体支持部材２１および本体部２２を備えている。
（本体部２２の構成）
図３の（ａ）は、図２の（ａ）に示した方向から見た場合の本体部２２の内部の構造を示す縦断面図、図３の（ｂ）は、図２の（ｂ）に示した方向から見た場合の本体部２２の内部の構造を示す縦断面図である。図４の（ａ）は、図３の（ａ）に示した構造を斜め上方から見た場合の斜視図、図４の（ｂ）は、図３の（ｂ）に示した構造を斜め下方から見た場合の斜視図である。
【００１６】
図３の（ａ）（ｂ）、図４の（ａ）（ｂ）に示すように、本体部２２は、上筐体部４１、送風機４２、送風通路４３、ＨＥＰＡフィルタ(High Efficiency Particulate Air Filter)４４、照明部（照明）４５、イオン発生素子（イオン発生装置）４６、プレフィルタ４９、下部カバー部材５２およびルーバリング５８を備えている。
【００１７】
上筐体部４１は、本体部２２の最上部に位置し、本体部２２の内部を上から覆っている。上筐体部４１は、周縁部が下方へ湾曲して傾斜した形状となっている。上筐体部４１には、上記支持部材嵌合部３１が取り付けられている。
【００１８】
送風機４２は、支持部材嵌合部３１すなわちシーリングローゼット１２の真下の位置に配置され、ファン４７およびファン４７を回転させるモータ４８を備えている。これらファン４７およびモータ４８は、鉛直方向において、これらファン４７およびモータ４８の中心が本体部２２の重心とほぼ一致するように、本体部２２の径方向（天井と平行な方向）の中央部に設けられている。
【００１９】
モータ４８は、ＨＥＰＡフィルタ４４の上に設けられ、回転軸４８ａがモータ４８の本体部から上方に向って突出している。ファン４７は、シロッコファンであり、モータ４８の上部およびモータ４８の周りを覆うように、モータ４８の回転軸４８ａに取り付けられている。
【００２０】
ファン４７は、送風通路４３の内部に設けられている。送風通路４３は、二つの吹出口４３ａを反対方向に有し、ファン４７が回転することにより、それら吹出口４３ａから空気を吹き出すようになっている。吹出口４３ａには、上下方向に延びるルーバ５７が設けられている。
【００２１】
イオン発生素子４６は、送風通路４３の二つの吹出口４３ａの近傍位置にそれぞれ設けられ、イオンを発生し、発生したイオンを吹出口４３ａから吹き出される空気に与える。
【００２２】
ＨＥＰＡフィルタ４４は、集塵フィルタとしての機能を有し、本体部２２の下部に設けられたＨＥＰＡフィルタ保持部材５０の上面に取り付けられている。ＨＥＰＡフィルタ保持部材５０は、例えば、薄板の容器形状を有し、本体部２２に対して着脱自在となっている。なお、ＨＥＰＡフィルタ保持部材５０を本体部２２に嵌合する場合（固定する場合）のＨＥＰＡフィルタ保持部材５０に対する操作は、本体部２２に対してＨＥＰＡフィルタ保持部材５０を押し付けること、あるいは本体部２２に対してＨＥＰＡフィルタ保持部材５０を回転させることにより行う構成としてもよい。したがって、空気清浄機１では、ＨＥＰＡフィルタ保持部材５０を本体部２２から取り外すことにより、同時にＨＥＰＡフィルタ４４を本体部２２から取り外しできるようになっている。
【００２３】
ＨＥＰＡフィルタ保持部材５０の下面には、例えば格子状に開口したフィルタ吸込口５０ａ（図４の（ｂ）参照）が形成され、ＨＥＰＡフィルタ保持部材５０の下には、プレフィルタ４９およびプレフィルタ保持部材５１が設けられている。プレフィルタ４９は、ＨＥＰＡフィルタ４４の前段にて、埃やゴミを除去する。
【００２４】
プレフィルタ保持部材５１は、プレフィルタ４９を保持している。プレフィルタ保持部材５１は、両側部に下方へ突出する下方突出部５１ａを有している。下方突出部５１ａは、下部カバー部材５２の閉状態において下部カバー部材５２の上面と当接する。これにより、下部カバー部材５２の閉状態において、プレフィルタ保持部材５１すなわちプレフィルタ４９が外れ難く、また下部カバー部材５２の下面側から荷重に対して下部カバー部材５２を補強できるようになっている。なお、プレフィルタ４９およびＨＥＰＡフィルタ４４は、ファン４７への空気供給経路に設けられている。
【００２５】
ＨＥＰＡフィルタ保持部材５０（プレフィルタ保持部材５１）の下方には下部カバー部材５２が設けられ、ＨＥＰＡフィルタ保持部材５０（プレフィルタ保持部材５１）と下部カバー部材５２との間には空間が形成されている。下部カバー部材５２の周りにおける下部カバー部材５２の上は、本体部２２への吸込口６０となっている。
【００２６】
下部カバー部材５２は、一端部が磁石５３により、他端部がＶばね５４により、それぞれ本体部２２（詳細にはＨＥＰＡフィルタ保持部材５０）に固定されている。磁石５３およびＶばね５４は、下部カバー部材５２の上面側に取り付けられている。したがって、下部カバー部材５２は、磁石５３により固定されている側を本体部２２から外すことにより、Ｖばね５４により本体部２２と連結されている状態に、開放することができる。また、下部カバー部材５２は、磁石５３により固定されている側、およびＶばね５４により固定されている側を本体部２２から外すことにより、本体部２２から取り外すことができる。この場合、Ｖばね５４は、従来周知のように、Ｖ形に広がった状態から閉じた状態にユーザが操作することにより、本体部２２から容易に外すことができる。
【００２７】
上記構成の空気清浄機１は、さらに、照明部４５を備えている。照明部４５は、照明基板５５と照明基板５５を覆う照明カバー５６とを備えている。照明基板５５は、多数のＬＥＤが設けられ、ドーナツ板形状を有している。照明基板５５の詳細は後述する。照明カバー５６は、光透過部材、例えば半透明の樹脂材料にて形成され、カバー下部５６ａとカバー上部５６ｂとを有している。カバー下部５６ａは、環状の側壁部が斜め下方へ突出した状態に湾曲している。カバー上部５６ｂは、環状の側壁部が鉛直方向に対して照明カバー５６の内側へ傾斜した状態となっている。これにより、照明基板５５のＬＥＤからカバー下部５６ａに向って照射された光は、一部がカバー下部５６ａの内面にて反射し、さらにカバー上部５６ｂおよび後述のルーバリング５８を透過して空気清浄機１の周りの天井を照らすようになっている。
【００２８】
（照明基板５５の構成）
図５は、空気清浄機１から照明カバー５６を取り外した状態で、照明基板５５が露出した状態を示す平面図である。図６は、照明基板５５の一例を示す平面図である。
【００２９】
照明基板５５は、図５に示すように、ＨＥＰＡフィルタ保持部材５０の周囲を囲むようにして、複数のＬＥＤを搭載した、４枚の照明基板（２枚の第１照明基板５５ａと２枚の第２照明基板５５ｂ）からなる。第１照明基板５５ａと第２照明基板５５ｂとは交互に配置される。
【００３０】
第１照明基板５５ａは、図６の（ａ）に示すように、搭載される複数のＬＥＤのうち、１個のＬＥＤを常夜灯２０１として用い、残りのＬＥＤを照明灯２０２として用いる。
【００３１】
第２照明基板５５ｂは、図６の（ｂ）に示すように、搭載される複数のＬＥＤを全て照明灯として用いる。
【００３２】
上述のように、第１照明基板５５ａと第２照明基板５５ｂとが交互に配置されることで、図５に示すように、常夜灯２０１はＨＥＰＡフィルタ保持部材５０を中心として対向する位置に配置されることになる。但し、常夜灯２０１の数、配置位置に関しては、これに限定するものではない。
【００３３】
照明基板５５において、常夜灯ＬＥＤ２０１の点灯は、照明灯ＬＥＤ２０２の消灯によって行なわれ、常夜灯ＬＥＤ２０１の消灯は、照明灯ＬＥＤ２０２の点灯によって行なわれる。常夜灯ＬＥＤ２０１、照明灯ＬＥＤ２０２の点灯制御についての詳細は後述する。
【００３４】
（運転状態報知装置８１）
図７の（ａ）は、空気清浄機１の運転状態報知装置（情報表示部）８１による状態表示動作の説明図、図７の（ｂ）は、上記運転状態報知装置８１の構成を示す説明図である。ここで、状態表示とは、空気清浄機１の運転状態を示す各種情報を表示することを意味する。
【００３５】
空気清浄機１は、図７の（ａ）に示すように、運転状態報知装置８１を備えている。運転状態報知装置８１は、天井に何等かの画像を表示することにより、空気清浄機１が運転中であること、およびセンサ９１（図８参照）の検出結果をユーザに報知する。図７の（ａ）は、運転状態報知装置８１により天井パネル１１に状態表示８５が行われている様子を示している。
【００３６】
運転状態報知装置８１は、図７の（ｂ）に示すように、例えば、基板８２、基板８２に設けられた情報表示ＬＥＤ（光源）８３およびレンズ８４を備えている。レンズ８４は、情報表示ＬＥＤ８３が発する光を拡散させる。情報表示ＬＥＤ８３は、例えばカラーフィルタを有する構成により、水色、黄色、オレンジ色および赤色の各色表示を行う複数のＬＥＤからなる（図８参照）。水色は空気が綺麗ある場合、赤色は空気が汚れている場合の表示用であり、水色から黄色、オレンジ色、赤色に向って、空気の汚れが進んでいる状態を示す。
【００３７】
ＬＥＤ８３が発した光を透過して天井パネル１１に状態表示８５を行わせる光透過窓８６が設けられている。光透過窓８６は細長い形状を有し、したがって、状態表示８５は細長い形状となる。
【００３８】
なお、運転状態報知装置８１において、実際に空気清浄機に搭載する場合には、レンズ８４の代わりに拡散シートを用いる。また、情報表示ＬＥＤ８３は、カラーフィルタを有する構成の代わりに、赤、緑、青の３色ＬＥＤで構成する。この場合、３色ＬＥＤの明るさを変えることにより、青、橙、赤を生成する。そして、３色ＬＥＤによって発光する、青色は空気が綺麗な場合、橙色は空気が汚れている場合、赤色は空気が非常に汚れている場合を示す。
【００３９】
上述の常夜灯ＬＥＤ２０１、照明灯ＬＥＤ２０２、情報表示ＬＥＤ８３等のＬＥＤの点灯制御は、空気清浄機１の駆動制御卯部によって行なわれる。
【００４０】
（駆動制御部）
図８は、空気清浄機１の駆動制御部の構成を示すブロック図である。
【００４１】
駆動制御部は、図８に示すように、モータ４８、イオン発生素子４６、ＬＥＤ駆動部９３を制御する制御部（照明制御部）９２を含んでいる。制御部９２には、さらに、ニオイセンサや埃センサ等のセンサ９１、スイッチ１０１および電源部１０２が接続されている。
【００４２】
制御部９２は、スイッチ１０１や図示しないリモコンによって、常夜灯ＬＥＤ２０１や照明灯ＬＥＤ２０２の点灯・消灯、空気清浄運転（空清運転）の開始・停止を指示する。
【００４３】
つまり、常夜灯ＬＥＤ２０１、照明灯ＬＥＤ２０２、情報表示ＬＥＤ８３の点灯・消灯を行なう場合、制御部９２はＬＥＤ駆動部９３に指示する。これにより、ＬＥＤ駆動部９３によって、常夜灯ＬＥＤ２０１、照明灯ＬＥＤ２０２、情報表示ＬＥＤ８３の点灯・消灯制御が行なわれる。
【００４４】
また、空清運転の開始・停止を行なう場合、制御部９２はモータ４８およびイオン発生素子４６に指示する。これにより、モータ４８に接続されたファン４７の回転制御、イオン発生素子４６のイオン発生制御が行なわれる。
【００４５】
空清運転の制御は、センサ９１によって検出された埃、ニオイの程度から推測される空気の汚れ具合に応じて行なわれる。つまり、制御部９２は、空気の汚れが少ない場合には、ファン４７の回転数が少なくなるようにモータ４８を制御し、発生するイオンの発生量が少なくなるようにイオン発生素子４６を制御する。また、制御部９２は、空気の汚れが多い場合には、ファン４７の回転数が多くなるようにモータ４８を制御し、発生するイオンの発生量が多くなるようにイオン発生素子４６を制御する。
【００４６】
また、空気の汚れ具合は、上述した情報表示ＬＥＤ８３によって示すようになっている。具体的には、制御部９２は、ＬＥＤ駆動部９３すなわちＬＥＤ８３の駆動を制御し、センサ９１の検出結果に応じて、上述した各色いずれかのＬＥＤを点灯させる。あるいは、制御部９２は、全部の色のＬＥＤを点灯させ、センサ９１の検出結果に応じて、空気の汚れ状態に該当する色のＬＥＤを他の色のＬＥＤよりも明るく点灯させる。
【００４７】
なお、運転状態報知装置８１は、状態表示８５によって、イオン発生素子４６が稼働中であることを表示するようにもなっている。
【００４８】
このように、天井に取り付けられた空気清浄機１であっても、天井パネル１１に当該空気清浄機１の運転状態を示す状態表示８５を表示することで、ユーザは、空気清浄機１の運転状態を容易に把握することが可能となる。
【００４９】
ところで、上記構成の空気清浄機１が寝室の天井に取り付けられている場合、常夜灯を点灯して就寝する習慣のあるユーザは、就寝時に、照明灯ＬＥＤ２０２を消灯し、常夜灯ＬＥＤ２０１を点灯する。このとき、常夜灯ＬＥＤ２０１以外に、状態表示８５を天井パネル１１に表示する情報表示ＬＥＤ８３が点灯している。常夜灯ＬＥＤ２０１の全光束は、就寝を妨げない程度の全光束となっているが、通常、情報表示ＬＥＤ８３の全光束は特に考慮されていない。このため、情報表示ＬＥＤ８３の全光束が、常夜灯ＬＥＤ２０１の全光束よりも多い場合、就寝の妨げになる虞がある。
【００５０】
以下では、常夜灯ＬＥＤ２０１が点灯されたときの情報表示ＬＥＤ８３の点灯制御について説明する。
【００５１】
（情報表示ＬＥＤ８３の点灯制御）
図９は、情報表示ＬＥＤ８３の点灯制御の処理の流れを示すフローチャートである。
【００５２】
まず、制御部９２は、常夜灯ＬＥＤ２０１が点灯すると（ステップＳ１１のＹＥＳ）、ＬＥＤ駆動部９３に対して、情報表示ＬＥＤ８３の全光束を低減させるように指示する（ステップＳ１２）。具体的には、制御部９２は、常夜灯ＬＥＤ２０１の点灯を検知すると、情報表示ＬＥＤ８３の全光束を照明灯ＬＥＤ２０２の点灯時における情報表示ＬＥＤ８３の全光束よりも低くなるように制御する。ここで、情報表示ＬＥＤ８３の全光束を低減させる度合いは、例えば照明灯ＬＥＤ２０２の点灯時における情報表示ＬＥＤ８３の全光束を１とした場合、３／４以下、１／２以下、または１／４以下とするか、または、常夜灯ＬＥＤ２０１の全光束以下にする。なお、情報表示ＬＥＤ８３の全光束を低減させる度合いは、上記の度合いに限定されるものではない。また、情報表示ＬＥＤ８３の全光束を低減させる度合いは、予め設定してもよいが、手動で設定するように構成してもよい。
【００５３】
ステップＳ１２では、制御部９２が、情報表示ＬＥＤ８３の全光束を、照明灯ＬＥＤ２０２の点灯時における情報表示ＬＥＤ８３の全光束よりも低くなるように制御するようにＬＥＤ駆動部９３に指示する。なお、この情報表示ＬＥＤ８３の点灯制御では、点灯しているＬＥＤの色に関係なく、点灯しているＬＥＤの全光束を照明灯ＬＥＤ２０２の点灯時における情報表示ＬＥＤ８３の全光束よりも低くなるようになっている。これにより、常夜灯ＬＥＤ２０１が点灯している間、空気清浄機１の状態が変化しても、点灯されるＬＥＤの全光束によってユーザの就寝を妨げることがない。
【００５４】
次に、制御部９２は、常夜灯ＬＥＤ２０１が消灯すると（ステップＳ１３のＹＥＳ）、情報表示ＬＥＤ８３の全光束を元に戻す（ステップＳ１４）。
【００５５】
ステップＳ１４では、制御部９２が、常夜灯ＬＥＤ２０１の消灯により照明灯ＬＥＤ２０２が点灯しているので、情報表示ＬＥＤ８３の全光束を、常夜灯ＬＥＤ２０１が点灯する前の全光束まで戻すようにＬＥＤ駆動部９３に指示する。
【００５６】
なお、ステップＳ１４において、常夜灯ＬＥＤ２０１から照明灯ＬＥＤ２０２に切り替えた時、制御部９２は、情報表示ＬＥＤ８３の全光束を、常夜灯ＬＥＤ２０１が点灯する前の全光束まで戻すようにＬＥＤ駆動部９３に指示するだけでなく、情報表示ＬＥＤ８３の全光束が常夜灯ＬＥＤ２０１の点灯時より高くなるようにＬＥＤ駆動部９３に指示するようにしてもよい。
【００５７】
（効果）
以上のように、上記構成の空気清浄機１では、情報表示ＬＥＤ８３の全光束を下げるのを、常夜灯ＬＥＤ２０１の点灯をトリガとして行なっているため、照度センサを搭載し、当該照度センサの検出結果をトリガとする必要がない。従って、照度センサを搭載しないで済むため、常夜灯付きの空気清浄機１を安価に製造することができる。
【００５８】
〔実施形態２〕
本発明の他の実施形態について、以下に説明する。なお、説明の便宜上、上記実施形態にて説明した部材と同じ機能を有する部材については、同じ符号を付記し、その説明を繰り返さない。
【００５９】
本実施形態に係る空気清浄機は、前記実施形態１の空気清浄機１と基本的に同じ構成であり、異なるのは、状態表示を行なうための情報表示ＬＥＤ８３の各色のＬＥＤが複数個設けられている点で異なる。
【００６０】
図１０は、本実施形態に係る空気清浄機の駆動制御部の構成を示すブロックである。
【００６１】
情報表示ＬＥＤ８３は、図１０に示すように、水色を発光するＬＥＤ、黄色を発光するＬＥＤ、オレンジ色を発光するＬＥＤ、赤色を発光するＬＥＤそれぞれ複数個備えている。このように、各色のＬＥＤを複数個備えることで、各色の発光全光束をＬＥＤの点灯数で制御することが可能となる。つまり、情報表示ＬＥＤ８３の全光束を制御する際に、ＬＥＤの点灯数によって制御することが可能となる。
【００６２】
（情報表示ＬＥＤ８３の点灯制御）
図１１は、情報表示ＬＥＤ８３の点灯制御の処理の流れを示すフローチャートである。
【００６３】
まず、制御部は、常夜灯ＬＥＤ２０１が点灯すると（ステップＳ２１のＹＥＳ）、ＬＥＤ駆動部９３に対して、情報表示ＬＥＤ８３の点灯数を減らすように指示する（ステップＳ２２）。
【００６４】
ステップＳ２２では、制御部９２が、情報表示ＬＥＤ８３の全光束を、照明灯ＬＥＤ２０２の点灯時における情報表示ＬＥＤ８３の全光束よりも低くなるように、ＬＥＤの点灯数を減らすようにＬＥＤ駆動部９３に指示する。なお、この情報表示ＬＥＤ８３の点灯制御では、点灯しているＬＥＤの色に関係なく、点灯しているＬＥＤの数を減らすようになっている。これにより、常夜灯ＬＥＤ２０１が点灯している間、空気清浄機１の状態が変化しても、点灯されるＬＥＤの数を、常夜灯ＬＥＤ２０１と同じが、低くい全光束となるように制御することで、ユーザの就寝を妨げることがない。
【００６５】
なお、情報表示ＬＥＤ８３の全光束を低減させる度合いは、前記実施形態１と同様に、例えば照明灯ＬＥＤ２０２の点灯時における情報表示ＬＥＤ８３の全光束を１とした場合、３／４、１／２、または１／４以下とするか、または、常夜灯ＬＥＤ２０１の全光束以下にする。なお、情報表示ＬＥＤ８３の全光束を低減させる度合いは、上記の度合いに限定されるものではない。また、情報表示ＬＥＤ８３の全光束を低減させる度合いは、予め設定してもよいが、手動で設定するように構成してもよい。
【００６６】
次に、制御部９２は、常夜灯ＬＥＤ２０１が消灯すると（ステップＳ２３のＹＥＳ）、情報表示ＬＥＤ８３の全光束を元に戻す（ステップＳ２４）。
【００６７】
ステップＳ２４では、制御部９２が、常夜灯ＬＥＤ２０１の消灯により照明灯ＬＥＤ２０２が点灯しているので、情報表示ＬＥＤ８３の全光束を、常夜灯ＬＥＤ２０１が点灯する前の全光束まで戻すように、点灯するＬＥＤを増やすようにＬＥＤ駆動部９３に指示する。
【００６８】
なお、ステップＳ２４において、常夜灯ＬＥＤ２０１から照明灯ＬＥＤ２０２に切り替えた時、制御部９２は、情報表示ＬＥＤ８３の全光束を、常夜灯ＬＥＤ２０１が点灯する前の全光束まで戻すように、点灯するＬＥＤを増やすようにＬＥＤ駆動部９３に指示するだけでなく、情報表示ＬＥＤ８３の全光束が常夜灯ＬＥＤ２０１の点灯時より高くなるように、点灯するＬＥＤを増やすようにＬＥＤ駆動部９３に指示するようにしてもよい。
【００６９】
（効果）
以上のように、上記構成の空気清浄機では、情報表示ＬＥＤ８３の全光束を下げるのを、常夜灯ＬＥＤ２０１の点灯をトリガとして行なっているため、照度センサを搭載し、当該照度センサの検出結果をトリガとする必要がない。従って、照度センサを搭載しないで済むため、空気清浄機を安価に製造することができる。
【００７０】
なお、前記実施形態１，２において、常夜灯ＬＥＤ２０１、照明灯ＬＥＤ２０２、情報表示ＬＥＤ８３のランプを、ＬＥＤに限定して説明したが、これに限定されるものではなく、ＬＥＤ以外のランプを用いた場合であっても、上記のように、常夜灯の点灯をトリガとして、情報表示用のランプの全光束を下げるようにすればよい。
【００７１】
〔実施形態３〕
本発明の他の実施形態について、以下に説明する。なお、説明の便宜上、上記実施形態にて説明した部材と同じ機能を有する部材については、同じ符号を付記し、その説明を繰り返さない。
【００７２】
本実施形態に係る空気清浄機１は、基本的に前記実施形態１および２の空気清浄機１と同じ構造であり、異なるのは、応急運転時の操作を安全に行える工夫をしている点で異なる。
【００７３】
図１２は、本発明のさらに他の実施形態の空気清浄機から、ＨＥＰＡフィルタ保持部材５０を取り外した状態を示す斜視図である。図１３は、本実施形態に係る空気清浄機の駆動制御部の構成を示すブロックである。本実施形態では、なお、本実施形態においては、ＨＥＰＡフィルタ４４を保持した状態のＨＥＰＡフィルタ保持部材５０を蓋体として説明する。従って、ＨＥＰＡフィルタ保持部材５０の本体部２２への着脱は、常にＨＥＰＡフィルタ４４を保持した状態で行なわれる。
【００７４】
空気清浄機１は、図１２に示すように、ＨＥＰＡフィルタ保持部材５０を取り外すと、応急運転ボタン１０３、イオン発生素子４６を着脱するための開口部１０６が露出するようになっている。つまり、イオン発生素子４６は、本体部２２に対して着脱可能となっている。
【００７５】
駆動制御部は、図１３に示すように、基本的には、実施形態１と同じであるが、応急運転ボタン１０３、カバー着脱検出部（蓋体着脱検出部）１０４、素子着脱検出部（装置着脱検出部）１０５を備えている点で異なる。
【００７６】
応急運転ボタン１０３は、空気清浄機１を点検する際などにおいて、応急運転を行なう際に操作するボタンである。カバー着脱検出部１０４は、例えばホールＩＣからなり、ＨＥＰＡフィルタ保持部材５０（蓋体）の着脱を検出するものである。素子着脱検出部１０５は、カバー着脱検出部１０４と同様に、例えばホールＩＣからなり、イオン発生素子４６の開口部１０６に対する着脱を検出するものである。なお、イオン発生素子４６の開口部１０６に対する着脱は、当該イオン発生素子４６が、空気清浄機１内に設けられた当該イオン発生素子４６に電力を供給するための電源コネクタ（図示せず）と接続されているか否かによって検出してもよい。
【００７７】
（応急運転の制御）
通常、ＨＥＰＡフィルタ保持部材５０を取り外した状態では、リモコンで空清運転を開始した場合、ＨＥＰＡフィルタ保持部材５０が外れていることを示すエラー表示が情報表示ＬＥＤ８３の点灯によって行なわれる。この場合、ＨＥＰＡフィルタ保持部材５０を装着すれば、エラー表示が消えて、空清運転を開始する。
【００７８】
このように、通常、ＨＥＰＡフィルタ保持部材５０を取り外した状態では、リモコンによる空清運転を行なうことができない。しかしながら、点検時には、ＨＥＰＡフィルタ保持部材５０を取り外した状態で空清運転を行なう必要がある。そこで、ＨＥＰＡフィルタ保持部材５０を取り外した状態で空清運転を行えるように、空気清浄機１には応急運転ボタン１０３が設けられている。
【００７９】
応急運転ボタン１０３は、図１２に示すように、ＨＥＰＡフィルタ保持部材５０を空気清浄機１から取り外さないと操作することができないが、ＨＥＰＡフィルタ保持部材５０を取り外した状態であっても、イオン発生素子４６が開口部１０６に装着されていれば、操作可能になっている。この場合、ＨＥＰＡフィルタ保持部材５０が外れているというエラー表示を行ないつつ、応急運転ボタン１０３を操作して空清運転を行なうことができる。応急運転ボタン１０３によって空清運転を行なっている状態で、ＨＥＰＡフィルタ保持部材５０を装着すれば、エラー表示は消える。但し、再び、ＨＥＰＡフィルタ保持部材５０を外せば、エラー表示が行なわれ、且つ空清運転が停止する。
【００８０】
一方、ＨＥＰＡフィルタ保持部材５０が外れた状態であっても、イオン発生素子４６が開口部１０６に装着されていなければ、応急運転ボタン１０３を操作しても空清運転を行なうことができないようになっている。この場合、空清運転が停止した状態で、ＨＥＰＡフィルタ保持部材５０が外れたことを示すエラー表示が行なわれる。
【００８１】
（効果）
以上のように、制御部９２は、上記カバー着脱検出部１０４によりＨＥＰＡフィルタ保持部材５０が外れていると検出され、且つ、上記素子着脱検出部１０５によりイオン発生素子４６が装着されていると検出されたときのみ、上記応急運転ボタン１０３による当該空気清浄機の応急運転が行えるように、当該空気清浄機１を制御している。
【００８２】
これにより、イオン発生素子４６が装着されていない状態では、応急運転ボタン１０３を操作しても応急運転が実行されない。
【００８３】
通常、イオン発生素子４６が装着される部分近傍には、送風用のファン４７が設けられているため、イオン発生素子４６が装着されていない状態では、当該イオン発生素子４６の装着部位である開口部１０６の近傍にファン４７の羽根部が存在している。従って、ＨＥＰＡフィルタ保持部材５０が外れた状態で、応急運転ボタン１０３の操作により無条件に応急運転を行なうことが可能な場合、イオン発生素子４６が未装着ならばその着脱口である開口部１０６から回転中のファン４７に指などを差し込む恐れがあり危険である。また、モータ４８への負荷が過大にかかるので望ましくない。しかしながら、ＨＥＰＡフィルタ保持部材５０が外れていれば一律に空清運転不可とした場合、応急運転ボタン１０３を押しても空清運転が開始しないので、ユーザが混乱してしまう。
【００８４】
そこで、本実施形態のように、ＨＥＰＡフィルタ保持部材５０が取りはずれた状態で、イオン発生素子４６が装着されていない状態では、応急運転ボタン１０３を操作しても応急運転が実行されないようにし、イオン発生素子４６が装着されている状態では、応急運転ボタン１０３を操作すれば応急運転が実行されるようにすれば、応急運転ボタン１０３を操作したユーザにとって安全であり、且つ、混乱させないようにすることができる。
【００８５】
なお、前記実施形態１〜３は、何れも空気清浄機１に本発明を適用した例について説明したが、これに限定されるものではなく、他の常夜灯を備えた電子装置であってもよい。
【００８６】
〔まとめ〕
本発明の態様１に係る電子装置は、照明灯（照明灯ＬＥＤ２０２）および常夜灯（常夜灯ＬＥＤ２０１）を備えた電子装置（空気清浄機１）であって、当該電子装置（空気清浄機１）の各種情報を、光源（情報表示ＬＥＤ８３）を用いて表示する情報表示部（運転状態報知装置８１）と、上記情報表示部（運転状態報知装置８１）の光源（情報表示ＬＥＤ８３）の全光束を制御する照明制御部（制御部９２）と、を備え、上記照明制御部（制御部９２）は、上記常夜灯（常夜灯ＬＥＤ２０１）の点灯を検知すると、上記光源（情報表示ＬＥＤ８３）の全光束を照明灯（照明灯ＬＥＤ２０２）の点灯時における上記光源（情報表示ＬＥＤ８３）の全光束よりも低くなるように制御することを特徴としている。
【００８７】
上記の構成によれば、常夜灯の点灯を検知したとき、情報表示部の光源の全光束を照明灯の点灯時における上記光源の全光束よりも低くなるように制御することで、情報表示部の光源を用いた各種情報の表示が就寝を妨げる虞がない。
【００８８】
しかも、情報表示部の光源の全光束を照明灯の点灯時における上記光源の全光束よりも低くなるように制御するトリガは、常夜灯の点灯の検知であるため、全光束制御するために照度センサを用いる必要がない。これにより、照度センサを用いない分だけ、電子装置を安価にできる。
【００８９】
本発明の態様２に係る電子装置は、上記態様１において、上記照明制御部（制御部９２）は、上記常夜灯（常夜灯ＬＥＤ２０１）の点灯を検知すると、上記光源（情報表示ＬＥＤ８３）の全光束を当該常夜灯（常夜灯ＬＥＤ２０１）の全光束以下となるように制御するようにしてもよい。
【００９０】
上記の構成によれば、常夜灯の点灯を検知したとき、情報表示部の光源の全光束を当該常夜灯の全光束以下となるように制御することで、情報表示部の光源を用いた各種情報の表示が就寝を妨げない。
【００９１】
本発明の態様３に係る電子装置は、上記態様１または２において、上記情報表示部（運転状態報知装置８１）は、上記光源（情報表示ＬＥＤ８３）を複数備え、上記照明制御部（制御部９２）は、上記光源（情報表示ＬＥＤ８３）の点灯数を当該常夜灯（常夜灯ＬＥＤ２０１）が点灯する前の上記光源（情報表示ＬＥＤ８３）の点灯数よりも少なくするのが好ましい。
【００９２】
上記の構成によれば、常夜灯の点灯を検知した場合に、上記光源の点灯数を当該常夜灯が点灯する前の上記光源の点灯数よりも少なくすることで、上記光源全体の全光束を当該常夜灯の全光束以下にできる。
【００９３】
本発明の態様４に係る電子装置は、上記態様１〜３の何れか１態様において、上記光源（情報表示ＬＥＤ８３）は、ＬＥＤであることが好ましい。
【００９４】
本発明の態様５に係る空気清浄機は、上記態様１〜４の何れか１態様に記載の電子装置は、イオン発生装置（イオン発生素子４６）を備えた空気清浄機１であって、当該空気清浄機１の本体部２２から着脱可能に設けられたイオン発生装置（イオン発生素子４６）を覆う蓋体（ＨＥＰＡフィルタ保持部材５０）と、上記蓋体（ＨＥＰＡフィルタ保持部材５０）で覆われた本体部２２に設けられ、当該空気清浄機１を応急運転させるための応急運転ボタン１０３と、上記蓋体（ＨＥＰＡフィルタ保持部材５０）の着脱を検出する蓋体着脱検出部（カバー着脱検出部１０４）と、上記イオン発生装置（イオン発生素子４６）の着脱を検出する装置着脱検出部（素子着脱検出部１０５）と、上記蓋体着脱検出部（カバー着脱検出部１０４）により蓋体（ＨＥＰＡフィルタ保持部材５０）が外れていると検出され、且つ、上記装置着脱検出部（素子着脱検出部１０５）によりイオン発生装置（イオン発生素子４６）が装着されていると検出されたときのみ、上記応急運転ボタン１０３による当該空気清浄機１の応急運転が行えるように、当該空気清浄機１を制御する制御部９２と、を備えていることを特徴としている。
【００９５】
上記構成によれば、蓋体を外して、応急運転ボタンを操作可能に露出した状態で、イオン発生装置が本体部に装着されている場合のみ、応急運転ボタンを操作して応急運転を可能しているので、イオン発生装置が本体部に装着されていないときには、応急運転ボタンを操作しても応急運転は行なわれない。これにより、応急運転ボタンを操作したユーザにとって安全であり、且つ、混乱させないようにすることができる。
【００９６】
本発明の態様６に係る空気清浄機は、上記態様５において、上記情報表示部（運転状態報知装置８１）は、上記空気清浄機１を天井に取り付けた状態で、当該空気清浄機１の各種情報を上記天井（天井パネル１１）に表示するようにしてもよい。
【００９７】
上記構成によれば、空気清浄機が天井に取り付けられた寝室において、天井に空気清浄機の運転状態が表示されるので、就寝しようとしているユーザは天井を見るだけで空気清浄機の運転状態を確認することができる。しかも、就寝時に空気清浄機の常夜灯が点灯すれば、当該空気清浄機の運転状態を表示させるための光源の全光束が下がるので、当該運転状態の表示が就寝を妨げることはない。
【００９８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００９９】
１  空気清浄機（電子装置）
１１  天井パネル
１２  シーリングローゼット
２１  体支持部材
２２  体部
３１  支持部材嵌合部
４１  上筐体部
４２  送風機
４３  送風通路
４３ａ  吹出口
４４  ＨＥＰＡフィルタ（蓋体）
４５  照明部
４６  イオン発生素子（イオン発生装置）
４７  ファン
４８  モータ
４８ａ  回転軸
４９  プレフィルタ
５０  ＨＥＰＡフィルタ保持部材（蓋体）
５０ａ  フィルタ吸込口
５１  プレフィルタ保持部材
５１ａ  下方突出部
５２  下部カバー部材
５３  磁石
５５  照明基板
５５ａ  第１照明基板
５５ｂ  第２照明基板
５６  照明カバー
５６ａ  カバー下部
５６ｂ  カバー上部
５７  ルーバ
５８  ルーバリング
６０  吸込口
８１  運転状態報知装置
８２  基板
８３  情報表示ＬＥＤ
８４  レンズ
８５  状態表示
８６  光透過窓
９１  センサ
９２  制御部
９３  ＬＥＤ駆動部
１０１  スイッチ
１０２  電源部
１０３  応急運転ボタン
１０４  カバー着脱検出部（蓋体着脱検出部）
１０５  素子着脱検出部（装置着脱検出部）
１０６  開口部
２０１  常夜灯ＬＥＤ
２０２  照明灯ＬＥＤ
【図１】
2019083106.tif 000003
【図２】
2019083106.tif 000004
【図３】
2019083106.tif 000005
【図４】
2019083106.tif 000006
【図５】
2019083106.tif 000007
【図６】
2019083106.tif 000008
【図７】
2019083106.tif 000009
【図８】
2019083106.tif 000010
【図９】
2019083106.tif 000011
【図１０】
2019083106.tif 000012
【図１１】
2019083106.tif 000013
【図１２】
2019083106.tif 000014
【図１３】
2019083106.tif 000015